(57)【特許請求の範囲】
【請求項１】
充放電可能なバッテリから電力供給を受けて動作する照明装置であって、
前記バッテリを内蔵したバッテリパックが装着される本体部と、
光を照射する照明部と、
外部機器へ直流電力を供給するためのコネクタと、
を備え、
前記本体部は、使用者が把持可能な長尺形状であり、
前記照明部は、前記本体部の長手方向一端側に配置され、
前記本体部の長手方向他端側には、前記バッテリパックを着脱可能に装着するための装着部が形成され、
前記コネクタは、前記装着部に設けられている、照明装置。
【請求項２】
請求項１に記載の照明装置であって、
前記コネクタは、前記装着部において、前記照射部からの光の照射領域から外れた位置に配置されている、照明装置。
【請求項３】
請求項２に記載の照明装置であって、
前記コネクタの開口部は、前記照明部からの光の照射方向とは異なる方向を向いている、照明装置。
【請求項４】
請求項３に記載の照明装置であって、
前記コネクタの開口部は、前記照明部からの光の照射方向とは逆方向又は略直交する方向を向いている、照明装置。
【請求項５】
請求項１〜請求項４の何れか１項に記載の照明装置であって、
前記本体部から前記装着部にかけて、前記コネクタを介して前記外部機器に直流電力を供給するための回路基板が収納され、
前記コネクタは、前記回路基板に実装されている、照明装置。
【請求項６】
請求項１〜請求項４の何れか１項に記載の照明装置であって、
前記本体部には、前記コネクタを介して前記外部機器に直流電力を供給するための回路基板が収納され、
前記コネクタは、前記回路基板から離れた位置に配置されている、照明装置。
【請求項７】
請求項５又は請求項６に記載の照明装置であって、
前記回路基板は、前記照明部を制御する制御手段としての機能を有する、照明装置。
【請求項８】
請求項１〜請求項７の何れか１項に記載の照明装置であって、
前記照明部は、前記本体部の長手方向一端側に、光の照射方向を変更可能に設けられている、照明装置。
【請求項９】
請求項１〜請求項８の何れか１項に記載の照明装置であって、
前記コネクタの開口部を閉塞するためのキャップを備える、照明装置。
【請求項１０】
請求項９に記載の照明装置であって、
前記キャップは、
前記コネクタの開口部を閉塞可能なキャップ本体と、
前記キャップ本体に突設されて、前記開口部の閉塞時に当該照明装置の外壁との間に空間を形成する突起部と、
前記キャップ本体を当該照明装置本体に連結する連結部と、
を備える照明装置。
【発明の詳細な説明】
【技術分野】
【０００１】
本発明は、バッテリから電力供給を受けて動作する照明装置に関する。
【背景技術】
【０００２】
従来、バッテリを内蔵したバッテリパックを着脱自在に装着可能で、その装着されたバッテリパックから電力供給を受けてライトを点灯させる、照明装置が知られている（例えば、特許文献１参照）。
【先行技術文献】
【特許文献】
【０００３】
【特許文献１】特開２０１３−７０５０４号公報
【発明の概要】
【発明が解決しようとする課題】
【０００４】
この種の照明装置は、通常時にはバッテリを充電した状態で保管され、停電時や災害発生時等の非常時に利用されることが多い。
また、照明装置が利用される非常時には、携帯電話、スマートホン、ラジオ、等の携帯用の通信機器も利用されるが、これら通信機器への充電のために商用電源を利用することは難しい。
【０００５】
このため、非常時には、これら通信機器への充電のために、照明装置のバッテリを利用することが考えられる。
しかし、従来の照明装置は、外部機器への電源供給に利用することができない。
【０００６】
このため、照明装置のバッテリを外部機器の電源として利用する際には、照明装置からバッテリを外し、電圧変換回路等を使ってバッテリから外部機器へ直接電力供給するようにする必要がある。
【０００７】
しかし、これでは、照明装置を利用することができなくなってしまい、不便である。
本発明は、こうした問題に鑑みなされたものであり、バッテリから電力供給を受けて動作する照明装置において、照明装置からバッテリを外すことなく、そのバッテリを利用して外部機器に電力供給できるようにすることを目的とする。
【課題を解決するための手段】
【０００８】
かかる目的を達成するためになされた本発明の照明装置においては、光を照射する照明部とは別に、外部機器へ直流電力を供給するためのコネクタを備える。
このため、本発明の照明装置によれば、停電対策等のために充電されているバッテリを利用して、照明部及び外部機器の両方に電力供給することができるようになり、バッテリの有効利用を図り、非常時の使い勝手を向上できる。
【０００９】
ところで、コネクタには、直接、若しくは、ケーブルを介して、外部機器が接続されることから、コネクタが、照明部からの照射光が当たる位置に配置されていると、外部機器を接続した際に、ケーブルや外部機器によって照射光の一部が遮られてしまう。このため、コネクタは、照明部からの光の照射領域から外れた位置に配置するとよい。
【００１０】
また、コネクタには、対となるプラグを差し込むための開口部があるが、その開口部が照明部からの光の照射方向に向いていると、プラグを差し込んだ際に開口部から突出されるケーブルや外部機器が照明部からの照射光を遮ることも考えられる。
【００１１】
このため、コネクタの開口部は、照明部からの光の照射方向とは異なる方向を向いているとよい。また、この場合、コネクタの開口部は、照明部からの光の照射方向とは逆方向、若しくは、光の照射方向と略直交する方向、を向くようにするとよい。
【００１２】
次に、コネクタを介して外部機器に直流電力を供給するには、バッテリ電圧を外部機器への供給用の電源電圧に変換する電源部が必要になるが、そのための電源部は回路部品を実装した回路基板にて構成するとよい。
【００１３】
この場合、コネクタは、その回路基板に直接固定することもできるし、回路基板とは別に構成して、回路基板から離れた位置に配置することもできる。
そして、コネクタを回路基板から離れた位置に配置するようにした場合には、コネクタの配置位置が制限されないので、コネクタを、ケーブルや外部機器が照明部からの照射光を遮らない位置に配置し易く、設計の自由度を高めることができる。
【００１４】
なお、回路基板は、電源部として機能するだけでなく、照明部を制御する制御手段としても機能するように構成すれば、これらの機能を同一基板で実現できることになり、照明装置の部品点数を少なくすることができる。
【００１５】
また、バッテリが設けられる照明装置の本体部に対し、照明部が、光の照射方向を変更可能に設けられている場合、コネクタは、照明部ではなく、本体部に設けるようにしてもよい。
【００１６】
このようにすれば、照明部が本体部に対する可動部となって使い勝手がよくなり、しかも、本体部にコネクタを設けることで、コネクタに接続されたケーブルや外部機器が照明部からの照射光を遮り、影ができるのを抑制できる。
【００１７】
また、バッテリが設けられる照明装置の本体部を、使用者が把持可能な長尺形状にした場合、照明部は、その本体部の長手方向一端側に配置され、コネクタは、その本体部の長手方向他端側に配置されるようにしてもよい。このようにしても、コネクタに接続されたケーブルや外部機器が照明部からの照射光を遮り、影ができるのを抑制できる。
【００１８】
また、本発明の照明装置には、コネクタに接続される外部機器を保持するための保持部を設けてもよい。そして、この場合、保持部を、照明部からの光の照射領域から外れた位置に配置するようにすれば、保持部や、保持部に保持された外部機器が、照明部からの照射光を遮り、影ができるのを抑制できる。
【００１９】
また、コネクタに外部機器が接続されない場合、その開口部は外に向けて開放されることから、照明装置周囲の水や粉塵が開口部から侵入することが考えられる。
このため、本発明の照明装置には、コネクタの開口部を閉塞するためのキャップを設けるとよい。
【００２０】
またこの場合、キャップは、コネクタの開口部を閉塞可能なキャップ本体と、キャップ本体に突設されて、開口部の閉塞時に照明装置の外壁との間に空間を形成する突起部と、キャップ本体を当該照明装置本体に連結する連結部と、を備えるようにするとよい。
【００２１】
このようにすれば、キャップを開口部から外す際に、照明装置の外壁と突起部との間に形成される空間に指を入れることができるようになるので、キャップを開口部から外し易くなる。また、キャップを開口部から外しても、キャップは連結部にて照明装置本体に連結されているので、キャップを紛失してしまうのを防止できる。
【図面の簡単な説明】
【００２２】
【図１】第１実施形態の照明装置の外観を表す斜視図である。
【図２】第１実施形態の照明装置を図１とは逆方向から見た状態を表す斜視図である。
【図３】第１実施形態の照明装置の照明部の可動状態を説明する説明図である。
【図４】第１実施形態の照明装置においてコネクタをキャップで閉塞した状態を表す斜視図である。
【図５】第１実施形態の照明装置の本体部に設けられた回路基板を表す説明図である。
【図６】図５に示す回路基板の変形例を表す説明図である。
【図７】第１実施形態の照明装置においてコネクタの位置を変更した変形例を表す斜視図である。
【図８】第２実施形態の照明装置の外観を表す斜視図である。
【図９】第２実施形態の照明装置を図８とは逆方向から見た状態を表す斜視図である。
【図１０】第２実施形態の照明装置に外部機器の保持部を設けた変形例を表す斜視図である。
【図１１】第２実施形態の照明装置においてコネクタの位置を変更した変形例を表す斜視図である。
【図１２】本発明の参考例としての電動工具の外観を表す斜視図である。
【図１３】図１２に示した電動工具の装着部に設けられたコネクタを表す説明図である。
【発明を実施するための形態】
【００２３】
以下に本発明の実施形態を図面と共に説明する。
（第１実施形態）
図１〜図５に示すように、本実施形態の照明装置２は、使用者が把持可能な棒状（換言すれば長尺状）に形成された本体部４と、本体部４の長手方向一端側に設けられた照明部６と、本体部４の長手方向他端側に着脱自在に装着されたバッテリパック８と、を備える。
【００２４】
照明部６は、本体部４の長手方向一端側（図における上方）に形成された連結部５を介して、本体部４に対し図１，図５に矢印で示す方向に揺動可能、且つ、図３に示すように本体部４に対し折り畳み可能、に設けられている。
【００２５】
そして、図３に示すように、照明部６において、本体部４に対し折り畳んだ際に本体部４と対向する面には、複数の発光素子（ＬＥＤ）１０が分散配置され、各発光素子１０からの光を周囲に放射するようになっている。
【００２６】
また、照明部６の発光素子１０とは反対側の面には、照明装置２を周囲の木や構造物に引っかけるためのフック７が収納されている（図２〜図４参照）。
バッテリパック８は、リチウムイオン電池等の充放電可能なバッテリを内蔵したものであり、本体部４の長手方向他端側（図における下方）に形成された装着部９に、着脱可能に装着される。
【００２７】
そして、バッテリパック８が装着部９に装着されると、バッテリが装着部９に設けられた接続端子及び電源線（図示せず）を介して、本体部４内の回路基板３０（図５参照）に接続される。
【００２８】
図５に示すように、本体部４は、中空で、使用者が把持しやすい形状に形成された合成樹脂製のケース１６内に、回路基板３０等を収納することにより構成されている。そして、回路基板３０は、本体部４において、照明部６を折り畳んだ際に照明部６と対向するケース１６の壁面とは反対側の壁面に沿って配置されている。
【００２９】
なお、以下の説明では、本体部４において、照明部６を折り畳んだ際に照明部６と対向するケース１６の壁面側を照明装置２の前方、これとは反対側を照明装置２の後方、という。
【００３０】
そして、本体部４の後方で、回路基板３０と対向するケース１６の壁面には、使用者が押下することにより、当該照明装置２のオン・オフ状態を切り替えるための操作スイッチ１８が設けられている。なお、操作スイッチ１８は、回路基板３０に実装されている。
【００３１】
また、本体部４下方の装着部９において、後方側には、ＵＳＢケーブルを介して電力供給可能な外部機器（例えば、携帯電話やスマートフォン等）に対し電力供給を行うためのＵＳＢコネクタ２０が設けられている（図２、図４、図５参照）。
【００３２】
このＵＳＢコネクタ２０は、ＵＳＢプラグを差し込むためのソケットであり、ＵＳＢ（Universal Serial Bus）規格に準拠した端子構造となっている。なお、ＵＳＢコネクタ２０は、正負一対の電源端子（５Ｖ、ＧＮＤ）と、通信端子（Ｄ−、Ｄ＋）を備えるが、本実施形態では、ＵＳＢコネクタ２０を、外部機器への電力供給に利用することから、電源端子（５Ｖ、ＧＮＤ）が電力供給用端子として利用される。
【００３３】
そして、装着部９には、ＵＳＢコネクタ２０に外部機器が接続されないときにＵＳＢコネクタ２０を保護するキャップ２２が設けられている。
このキャップ２２は、ＵＳＢコネクタ２０の開口部に差し込まれて開口部を閉塞するためのキャップ本体２３と、キャップ本体２３を装着部９に取り付けるための連結部２５と、キャップ本体２３の連結部２５とは反対側に突設された突起部２４と、を備える。
【００３４】
なお、突起部２４は、キャップ本体２３にてＵＳＢコネクタ２０の開口部を閉塞した際に、ＵＳＢコネクタ２０の周囲の外壁との間に空間を形成するためのものである。このため、キャップ２２をＵＳＢコネクタ２０から外す際、使用者は、突起部２４に指を引っ掛けて操作できるようになり、その取り外し作業を簡単に行うことができる。
【００３５】
また、装着部９の前方側には、例えばバッテリの残容量の低下等、照明装置２の状態を報知するための報知用ＬＥＤ２８が設けられている。
そして、照明部６（詳しくは照明部６を構成する複数の発光素子１０）、ＵＳＢコネクタ２０、及び、報知用ＬＥＤ２８は、ケース１６内の配線（図示せず）を介して、回路基板３０に接続されている。
【００３６】
回路基板３０は、操作スイッチ１８から指令に従い照明部６の発光素子１０を点灯させると共に、ＵＳＢコネクタ２０に外部機器が接続されているときには外部機器に電力供給を行うためのものである。
【００３７】
このため、回路基板３０には、照明部６駆動用の電源回路、外部機器駆動用の電源回路、及び、これら各電源回路からの出力を制御する制御回路が組み付けられている。
以上説明したように、本実施形態の照明装置２には、外部機器へ直流電力を供給するためのコネクタとして、ＵＳＢコネクタ２０が設けられている。そして、ＵＳＢコネクタ２０に外部機器が接続されている場合には、回路基板３０は、バッテリパック８からの供給電力を利用して、外部機器駆動用の電源電圧を生成し、ＵＳＢコネクタ２０から外部機器に供給する。
【００３８】
このため、本実施形態の照明装置２によれば、バッテリパック８内のバッテリを利用して、照明部６及び外部機器の両方に電力供給することができるようになり、バッテリの有効利用を図り、照明装置２の使い勝手を向上できる。
【００３９】
また、照明部６は、本体部４に対し折り畳み可能に設けられているため、光の照射方向を変更できるが、ＵＳＢコネクタ２０は、本体部４において照明部６とは反対側に設けられる装着部９の後方側に配置されているので、照明部６からの照射光がＵＳＢコネクタ２０に当たることはない。
【００４０】
また、ＵＳＢコネクタ２０は、装着部９の後方に向けて開口しているので、その開口部にＵＳＢケーブル若しくは外部機器を接続した際に、照明部からの照射光がＵＳＢケーブル若しくは外部機器で遮られ、影ができるのを抑制できる。
【００４１】
また、ＵＳＢコネクタ２０は、回路基板３０とは別体で構成され、回路基板３０から離れた位置に配置されているので、ＵＳＢコネクタ２０の配置位置が制限されることはない。このため、照明装置２の設計時や設計変更時には、ＵＳＢコネクタ２０を任意の位置に配置できることになる。
【００４２】
また、本実施形態の照明装置２には、ＵＳＢコネクタ２０の開口部を閉塞するキャップが設けられているため、その開口部から水や粉塵が侵入するのを防止し、ＵＳＢコネクタ２０を保護することができる。
【００４３】
なお、本実施形態では、ＵＳＢコネクタ２０は、回路基板３０から離れた位置に配置されるものとして説明したが、例えば、図６に示すように、回路基板３１をＵＳＢコネクタ２０の配置位置まで延ばし、ＵＳＢコネクタ２０を回路基板３１に実装するようにしてもよい。
【００４４】
また、本実施形態では、ＵＳＢコネクタ２０は、照明部６からの照射光が当たることがないよう、装着部９の後方側に配置するものとしたが、図７に例示するように、本体部４の側壁（図では、照明部６が設けられる連結部５の側壁）に設けるようにしてもよい。
【００４５】
この場合、ＵＳＢコネクタ２０には、照明部６からの照射光が直接当たることはないし、ＵＳＢコネクタ２０の開口部は、照明部６からの光の照射方向と略直交する方向を向くことになる。従って、このようにしても、ＵＳＢコネクタ２０に接続されるＵＳＢケーブル若しくは外部機器が、照明部６からの照射光を遮るのを抑制できる。
（第２実施形態）
図８に示すように、本実施形態の照明装置５０は、充放電可能なバッテリが収納された本体部４０の外壁に、複数の発光素子４２とその発光素子４２からの光を前方に向けて反射する反射板４４とにより構成される照明部４６を、一体的に組み付けることにより構成されている。
【００４６】
また、本実施形態の照明装置５０は、バッテリまたは商用電源から電力供給を受けて動作するように構成されており、図９に示すように、本体部４０の照明部４６とは反対側（後方）の壁面からは、商用電源から電力供給を受けるためのＡＣコード５８が引き出されている。
【００４７】
また、本体部４０は、本体部４０を上下方向に回動可能に支持する枠体５２に組み付けられることにより、光の照射方向を調整できるようになっており、ＡＣコード５８は、その枠体５２に巻き付けられている。
【００４８】
なお、枠体５２の上方には、使用者が把持して照明装置５０を運ぶことができるように、把持部５４が形成され、枠体５２の左右には、本体部４０の上下方向の回動位置をロック／アンロックするための操作ノブ５６が設けられている。
【００４９】
また、本体部４０の上方の壁面には、操作スイッチ４８が設けられ、本体部４０の後方の壁面下方には、上記実施形態と同様、外部機器に直流電力を供給するためのＵＳＢコネクタ２０、及び、その開口部を閉塞してＵＳＢコネクタ２０を保護するキャップ２２が設けられている。
【００５０】
このように、本実施形態の照明装置５０においては、照明部４６が本体部４０と一体化されているが、ＵＳＢコネクタ２０は、本体部４０の後方の壁面（照明部４６とは反対側の壁面）に設けられている。
【００５１】
このため、本実施形態の照明装置５０においても、照明部４６からの照射光がＵＳＢコネクタ２０に当たることはなく、ＵＳＢコネクタ２０に接続されたＵＳＢケーブル若しくは外部機器が、照明部４６からの照射光を遮るのを防止できる。
【００５２】
なお、本実施形態の照明装置５０においては、本体部４０の前面に照明部４６が組み付けられることから、本体部４０の後方の壁面は広く、空きスペースができる。
このため、図１０に示すように、本体部４０の後方の壁面には、ＵＳＢコネクタ２０から電力供給を受ける外部機器７０（図ではスマートフォン）を保持するための保持部６０を設けるようにしてもよい。
【００５３】
そして、このようにすれば、例えば、外部機器７０を保持部６０に収納した状態で、ＵＳＢコネクタ２０から外部機器７０に電力供給を行い、外部機器７０内のバッテリを充電する、といったことが可能となる。
【００５４】
なお、図１０は、ＵＳＢコネクタ２０がキャップ２２で閉塞された状態を表している。
また、本実施形態では、ＵＳＢコネクタ２０は、本体部４０の後方の壁面に設けるものとして説明したが、図１１に示すように、本体部４０の側壁に設けるようにしてもよく、或いは、操作スイッチ４８と同様、本体部４０の上方の壁面に設けるようにしてもよい。
【００５５】
つまり、本実施形態の照明装置５０においては、本体部４０に照明部４６が設けられることから、本体部４０の照明部とは異なる壁面にＵＳＢコネクタ２０を配置するようにすれば、照明部４６からの照射光が、ＵＳＢコネクタ２０に接続されたＵＳＢケーブル若しくは外部機器に遮られて影ができるのを防止できる。
【００５６】
以上、本発明の実施形態について説明したが、本発明は上記実施形態に限定されるものではなく、本発明の要旨を逸脱しない範囲内にて、種々の態様をとることができる。
例えば、上記実施形態では、ＵＳＢコネクタ２０を保護するキャップ２２には、使用者が指で操作し易いように、突起部２４を設けるものとして説明したが、ＵＳＢコネクタ２０の周囲の壁面に、使用者が指を入れることのできる凹部を設けるようにしても、同様の効果を得ることができる。
【００５７】
また、上記実施形態では、外部機器に電力供給を行うためのコネクタは、ＵＳＢコネクタであるものとして説明したが、本発明のコネクタは、外部機器に直接若しくはケーブルを介して電力供給が可能なコネクタであればよく、ＵＳＢコネクタに限定されるものではない。
【００５８】
また、本発明は、バッテリを備えた照明装置に外部機器接続用のコネクタを設け、そのコネクタを介して、外部機器に直流電力を供給することを特徴としている。しかし、例えば、充電式電動工具や充電式園芸工具等、バッテリから電力供給を受けて動作する充電式電気機器であれば、本発明と同様に、外部機器接続用のコネクタを設けて、外部機器に直流電力を供給するようにしてもよい。
【００５９】
例えば、図１２は、所謂ドライバドリルとして構成された電動工具本体８２と、電動工具本体８０に着脱可能に装着されて、電動工具本体８０に電源供給を行うバッテリパック８４とを備えた電動工具８０を表している。
【００６０】
電動工具本体８２は、前方の先端部分に工具ビット装着用のドリルチャックを備えたモータハウジング８６と、使用者が把持して電動工具を操作するためにモータハウジング８６の下方に設けられたハンドグリップ８８と、を備える。そして、ハンドグリップ８８の下端部には、バッテリパック８４を装着するための装着部９０が形成されている。
【００６１】
従って、この種の電動工具８０の場合、図１３に例示するように、装着部９０の後方側に、ＵＳＢコネクタ２０を設け、このＵＳＢコネクタ２０を介して、外部機器へ直流電力を供給するようにすれば、上記第１実施形態と同様の効果を得ることができる。
【００６２】
なお、この場合、装着部２０には、第１実施形態と同様、ＵＳＢコネクタ２０に外部機器が接続されないときにＵＳＢコネクタ２０を保護するためのキャップ２２を設けるとよい。
【符号の説明】
【００６３】
２…照明装置、４…本体部、５…連結部、６…照明部、７…フック、８…バッテリパック、９…装着部、１０…発光素子、１６…ケース、１８…操作スイッチ、２０…ＵＳＢコネクタ、２２…キャップ、２３…キャップ本体、２４…突起部、２５…連結部、２８…報知用ＬＥＤ、３０，３１…回路基板、４０…本体部、４２…発光素子、４４…反射板、４６…照明部、４８…操作スイッチ、５０…照明装置、５２…枠体、５４…把持部、５６…操作ノブ、５８…ＡＣコード、６０…保持部、７０…外部機器、８０…電動工具、８２…電動工具本体８２、８４…バッテリパック、８６…モータハウジング、８８…ハンドグリップ、９０…装着部。
【図１】
0006373688.tif 000002
【図２】
0006373688.tif 000003
【図３】
0006373688.tif 000004
【図４】
0006373688.tif 000005
【図５】
0006373688.tif 000006
【図６】
0006373688.tif 000007
【図７】
0006373688.tif 000008
【図８】
0006373688.tif 000009
【図９】
0006373688.tif 000010
【図１０】
0006373688.tif 000011
【図１１】
0006373688.tif 000012
【図１２】
0006373688.tif 000013
【図１３】
0006373688.tif 000014